(57)【特許請求の範囲】
【請求項１】
金属溶湯が供給される筒状の射出スリーブと、該射出スリーブ内で進退される射出プランジャに設けた射出プランジャチップとを備え、前記射出プランジャの前進により金属溶湯を型閉された金型のキャビティ内に射出充填するときに、低速射出工程ではその駆動源に電動サーボモータを用い、該低速射出工程の次工程で行われる高速射出工程ではその駆動源に油圧駆動源を用いるダイカストマシンであって、
前記高速射出工程よりも低速で行われる低速射出工程で前記射出プランジャを前進させる前記電動サーボモータのトルクを検出するトルク検出手段と、該トルク検出手段で検出された実測値が予め設定された閾値を超えた値であるときに、前記射出プランジャの前進動作に異常があるとして判別する異常検出手段とを備え、
前記トルク検出手段は、前記低速射出工程を実行中にのみ前記電動サーボモータのトルクの検出を行うことを特徴とするダイカストマシン。
【請求項２】
筒状の射出スリーブに供給された金属溶湯を、該射出スリーブ内に設けられた射出プランジャに構成される射出プランジャチップを前進させることにより、型閉された金型のキャビティ内に射出充填するに際し、低速射出工程ではその駆動源に電動サーボモータを用い、該低速射出工程の次工程で行われる高速射出工程ではその駆動源に油圧駆動源を用いるダイカストマシンの異常検出方法であって、
前記低速射出工程を実行中にのみ、前記電動サーボモータのトルクをトルク検出手段が検出し、
該トルク検出手段で検出された実測値が予め記憶部に記憶されている閾値を超えた値であるとき、それに基づいて異常検出手段が前記射出プランジャに構成される前記射出プランジャチップの前進動作に異常があるとして判別することを特徴とするダイカストマシンの異常検出方法。
【発明の詳細な説明】
【技術分野】
【０００１】
本発明は、射出スリーブ内に供給された金属溶湯を射出プランジャの前進により金型内へ射出・充填するダイカストマシンに関し、特に射出ブランジャの動作に所定値以上の摺動抵抗が発生したとき、それを異常として検出するダイカストマシン及びダイカストマシンの異常検出方法に関する。
【背景技術】
【０００２】
従来から用いられている一般的なダイカストマシンにおいては、溶解炉で溶融された金属材料を１ショット毎にラドルで計量して汲み上げ、汲み上げられた金属溶湯を射出スリーブの給湯口に給湯し、射出スリーブ内に進退可能に設けられた射出プランジャの前進動作により金型のキャビティ内へ金属溶湯を高速且つ高圧で射出充填して、鋳造成形体の成形が行われる。
【０００３】
金型のキャビティ内へ金属溶湯を射出するダイカストマシンの射出工程は、低速射出工程と、それに続く高速射出工程とからなっており、高速射出工程においては、プラスチック製品を成形する射出成形機の射出速度よりも１桁程速い高速の射出速度で、金型内に金属溶湯を射出充填する必要がある。そのため、射出工程における駆動源としては、低速射出工程では、電動サーボモータを駆動源として採用する一方で、高速射出工程では、より大きな駆動力を必要とするため、油圧駆動源やこれに電動サーボモータの駆動力を足し合わせ、金型内へ高速射出充填が行われる。
【０００４】
ところで、一般的なダイカストマシンは、その稼動に伴い鋳造成形体を繰り返し製造するわけであるが、稼動を続けると、射出プランジャを進退動作させるときに、進退される射出プランジャに対し所定値以上の摺動抵抗が発生することがある。その原因は、射出スリーブの内壁面や該射出スリーブの内壁面に摺動自在に配設された射出プランジャチップの外周面に金属溶湯の残存体（Ａｌ等の溶けたカス）が付着したり、あるいは、射出スリーブに対する射出プランジャチップの所謂齧り、焼付き、バリ、異物噛み込み、熱変形等により発生する。
【０００５】
上記従来技術に関連するものとして、特許文献１には、低速射出工程として、電動サーボモータの駆動により射出スリーブ内に供給された金属溶湯を金型のランナ部まで充填し、その直後に高速射出工程として、電動サーボモータに対し低速射出工程と同様の動作をとらせつつ、アキュームレータ（ＡＣＣ）に貯えられた圧油を用い、射出プランジャを高速で前進駆動させ、金型のキャビティ内に金属溶湯を高速で射出充填を行うダイカストマシンが開示されており、また、特許文献２及び３には、射出スリーブと射出プランジャチップとの摺動抵抗の異常を検出することを目的として、摺動抵抗の異常を、射出プランジャチップの後退工程時における油圧データに基づき検出するダイカストマシンが開示されている。
【先行技術文献】
【特許文献】
【０００６】
【特許文献１】特開２００６−３１５０５０号公報
【特許文献２】特開平４−２７９２６８号公報
【特許文献３】特開平３−３２４６０号公報
【発明の概要】
【発明が解決しようとする課題】
【０００７】
しかし、特許文献２及び３に開示されている従来技術では、射出プランジャチップが後退しているときの摺動抵抗を検出するものであることから、射出プランジャチップが前進動作を行っているとき、つまり、金属溶湯を射出充填するときの摺動抵抗の異常を正確に検出するには適していない。さらに、ダイカストマシンの射出工程においては、低速射出工程とそれよりも高速・高圧力で射出プランジャを前進させる高速射出工程があり、仮に高速射出工程を実行しているときの射出プランジャの圧力に基づき、射出プランジャチップの摺動抵抗の変化を異常として検出するとなると、射出プランジャが高速且つ高圧力で前進されるがため、摺動抵抗の異常時の変化が小さくその変化を読み取ることは実質困難なものとなる。また、射出スリーブの内壁面に付着した残存体、或いはバリや異物が、射出プランジャチップに対して鋭角的に接触されるようなとき（引っかかるような状態）には、摺動抵抗が大きくなるが、それとは逆に鈍角的に接触されるときには、摺動抵抗が小さくなることから、金属溶湯を金型内に射出充填するときの摺動抵抗の異常を正確に検出し、良品を成形するためには、射出プランジャチップが後退移動されるときではなく、前進移動されるときの摺動抵抗を高精度で正確に読み取り、摺動抵抗の異常を早期に解消することが不可欠である。
【０００８】
本発明は、上記課題に鑑みてなされたものであり、射出プランジャを前進させ金属溶湯を射出充填する際の、射出スリーブに対する射出プランジャの摺動抵抗を高精度で正確に検出させ、高品質な鋳造品を得ることができるダイカストマシン及びダイカストマシンの異常検出方法を提供することを目的とする。
【課題を解決するための手段】
【０００９】
ダイカストマシンの発明は、
金属溶湯が供給される筒状の射出スリーブと、該射出スリーブ内で進退される射出プランジャに設けた射出プランジャチップとを備え、前記射出プランジャの前進により金属溶湯を型閉された金型のキャビティ内に射出充填するときに、低速射出工程ではその駆動源に電動サーボモータを用い、該低速射出工程の次工程で行われる高速射出工程ではその駆動源に油圧駆動源を用いるダイカストマシンであって、
前記高速射出工程よりも低速で行われる低速射出工程で前記射出プランジャを前進させる前記電動サーボモータのトルクを検出するトルク検出手段と、該トルク検出手段で検出された実測値が予め設定された閾値を超えた値であるときに、前記射出プランジャの前進動作に異常があるとして判別する異常検出手段とを備え、
前記トルク検出手段は、前記低速射出工程を実行中にのみ前記電動サーボモータのトルクの検出を行うことを特徴とする。
【００１０】
ダイカストマシンの異常検出方法の発明は、
筒状の射出スリーブに供給された金属溶湯を、該射出スリーブ内に設けられた射出プランジャに構成される射出プランジャチップを前進させることにより、型閉された金型のキャビティ内に射出充填するに際し、低速射出工程ではその駆動源に電動サーボモータを用い、該低速射出工程の次工程で行われる高速射出工程ではその駆動源に油圧駆動源を用いるダイカストマシンの異常検出方法であって、
前記低速射出工程を実行中にのみ、前記電動サーボモータのトルクをトルク検出手段が検出し、
該トルク検出手段で検出された実測値が予め記憶部に記憶されている閾値を超えた値であるとき、それに基づいて異常検出手段が前記射出プランジャに構成される前記射出プランジャチップの前進動作に異常があるとして判別することを特徴とする。
【発明の効果】
【００１１】
本発明によれば、ダイカストマシンを稼動させているときに、射出スリーブの内壁面や該射出スリーブの内壁面に摺動自在に配設された射出プランジャチップの外周面に金属溶湯の残存体（Ａｌ等の溶けたカス）が付着したり、あるいは、射出スリーブに対する射出プランジャチップの所謂齧り、焼付き、バリ、異物噛み込み、熱変形等が発生し、射出プランジャチップの前進移動中の摺動抵抗に異常が発生すると、トルク検出手段で検出される電動サーボモータのトルクの実測値が、予め記憶部に記憶されている閾値を超える。すると、それに基づき、異常検出手段がダイカストマシンに異常が発生したことを判別する。よって、この判別に基づき、ユーザは異常を解消するための対策を講じたり、或いは、異常があるとして判別されたときに、制御手段がダイカストマシンを停止したり、表示手段に警告メッセージを表示することで、ユーザに対し注意喚起をすることができる。さらに、異常検出手段が射出プランジャチップの摺動抵抗に異常が発生したことを判別するときは、電動サーボモータのトルク変化が顕著に現れる低速射出工程中に実行されることから、異常を高精度で正確に検出することが可能となり、摺動抵抗の変化が大きくなる前に、早期に異常を発見することができる。
【図面の簡単な説明】
【００１２】
【図１】本発明のダイカストマシンの要部としての射出系ユニットを示す斜視図である。
【図２】ダイカストマシンの射出系ユニットの構成を示す説明図である。
【図３】射出系ユニットにおける動作工程の一部を示し、（ａ）は横軸に射出プランジャチップの位置を示し、縦軸には射出速度と射出圧力を示し、実線は射出速度であり、一点鎖線は射出圧力を示しており、（ｂ）〜（ｄ）は横軸に射出プランジャチップの位置を示し、（ｂ）の縦軸には電動サーボモータ（のみ）の速度、（ｃ）の縦軸には電動サーボモータ（のみ）のトルクを示しており、（ｄ）は射出プランジャチップの摺動抵抗に異常が発生した場合を示しており、実線は電動サーボモータ（のみ）のトルクを示し、一点鎖線は射出圧力を示している。
【発明を実施するための形態】
【００１３】
以下、本発明の実施形態を図１〜図３により以下に説明する。もちろん、本発明は、その発明の趣旨に反しない範囲で、実施形態において説明した以外の構成のものに対しても容易に適用可能なことは説明を要するまでもない。
【００１４】
図１及び図２に示すダイカストマシンに構成される要部としての射出系ユニット１には、機台２、機台２上に取り付けられたベース部材３及び固定ダイプレート４、ベース部材３に取り付けられた保持ブロック５、固定ダイプレート４などに保持された支持部材６、ベース部材３上で前後進可能に設けられた移動体７、保持ブロック５と支持部材６との間に掛け渡らされ、移動体７の進退移動をガイドする複数本のガイドバー８、保持ブロック５に取り付けられ、後述する低速射出工程及び増圧工程のときに駆動源として用いられる電動サーボモータ９、保持ブロック５に保持され、対応する電動サーボモータ９の回転を、プーリ１０、ベルト１１等からなる駆動伝達機構を介して伝達する１対のボールネジ１２、ボールネジ１２と螺合されると共に、移動体７にその端部を固定したナット体１３、移動体７に装着され、移動体７と共に移動される高速射出工程用の駆動源としての１対のアキュームレータ（以下、ＡＣＣと称す。）１４、移動体７と一体化され、内部をピストン体として兼ねる射出プランジャ１５が油圧動力源たるＡＣＣ１４の油圧により進退可能に設けられた油圧シリンダ１６、固定ダイプレート４に取り付けられ、射出プランジャ１５（の先端に有する射出プランジャチップ１５ａ）が内部で進退可能に設けられた射出スリーブ１８、射出スリーブ１８の上部に設けられた金属溶湯が供給される注入口１８ａ、ＡＣＣ１４と油圧シリンダ１６の第１油室１６ａとを接続する油路上に配設され、方向切り替え機能と流量制御機能とを備えて射出プランジャ１５を高速前進させるための油圧供給を遮断する制御弁２０、制御弁２０とタンク２１とを接続する油路上に配設されたクーラー２２、タンク２１と油圧シリンダ１６の第２油室１６ｂとを接続する油路上に配設された油圧ポンプ２３、油圧ポンプ２３と油圧シリンダ１６の第２油室１６ｂとを接続する油路上に配設された第１の逆止弁２５、制御弁２０と油圧シリンダ１６の第１油室１６ａとを接続する油路上に配設された圧力センサ２６、圧力センサ２６と第１の逆止弁２５とを接続する油路上に配設された第２の逆止弁２７、各種センサで検出された検出結果等に基づき、制御弁２０の開閉や電動サーボモータ９の駆動等を制御したり後述する閾値の演算等を行ったりする、ダイカストマシン全体の制御を行う制御手段２８、警告メッセージ等を表示する表示手段３０、表示手段３０に表示される各種数値（後述する閾値等）を設定するためのキー入力手段３１等が構成され、制御手段２８には、電動サーボモータ９のトルクを検出するトルク検出手段３２、トルク検出手段３２で検出された実測値が予め設定された閾値を超えた値であるときに、射出プランジャ１５（射出プランジャ１５の射出プランジャチップ１５ａ）の前進動作に異常があるとして判別する異常検出手段３３、前記閾値が予め記憶される閾値記憶部３４を備えている。
【００１５】
本実施形態では、電動サーボモータ９の回転力を、駆動伝達機構を介してボールネジ機構のボールネジ１２に伝達して該ボールネジ１２を回転させ、これにより、ボールネジ１２に螺合したボールネジ機構のナット体１３を軸方向に進退させることで、移動体７と共に油圧シリンダ１６を移動させて、射出プランジャ１５を進退させるようになっている。また、ＡＣＣ１４に蓄圧された圧油を、制御弁２０を介して油圧シリンダ１６に供給することで、射出プランジャ１５に前進方向の力（増圧圧力）を付与して、射出プランジャ（油圧シリンダを除く）１５を前進させるようになっていて、また、電動サーボモータ９とボールネジ機構とを２つずつ設けて、２つの電動サーボモータ９の出力を足し合わせて、移動体７と共に油圧シリンダ１６に設けられた射出プランジャ１５を軸方向に移動させるようにしているので、比較的大きな推力を得ることができるようになっている。
【００１６】
次に、ダイカストマシンの動作について図３を用いて説明する。本実施形態のダイカストマシンは、成形体を製造する一連の成形工程として、低速射出工程、高速射出工程、増圧工程、冷却工程、ビスケット押出工程、後退工程が順に行われる。本実施形態では、先ず、電動サーボモータ９を駆動源として、駆動伝達機構、ボールネジ１２等を介して、ナット体１３を移動体７と共に前進させ、射出スリーブ１８に注入口１８ａから供給された溶融金属材料を、射出プランジャ１５の先端から型閉された金型のキャビティへ低速で射出充填するのだが、射出前の状態においては、射出プランジャ１５は最後退位置にあり、制御弁２０は中立位置にあり、ＡＣＣ１４の油室内には所定量・所定圧の圧油が貯えられており、このときＡＣＣ１４のガス室内のガスは、油の圧力により圧縮・昇圧されている。また、射出前の状態を含め、油を油圧シリンダ１６の第２油室１６ｂへ送り込む工程以外には、油圧ポンプ２３は停止状態におかれている。また、射出前の状態では、ナット体１３は最も後退した位置に配置される。
【００１７】
そして、このような状態において、低速射出工程の開始タイミングに至ると、マシン全体の制御を司る制御手段２８からの指令に基づいて、電動サーボモータ９が、所定方向に、かつ、低速射出工程に設定された速度で回転駆動され、それによって、ボールネジ機構のナット体１３と共に、移動体７、油圧シリンダ１６、射出プランジャ１５が低速（０．５ｍ／ｓｅｃ未満の速度であり、本実施形態では、０．２５ｍ／ｓｅｃに設定。）で前進駆動される。つまり、低速射出工程では、位置軸に沿った速度フィードバック制御によって電動サーボモータ９が駆動制御され、それによって、低速射出工程が実行されて、射出スリーブ１８内の金属溶湯が金型のランナ部まで充填され、それに伴い金型のキャビティ内の空気抜きが行われる。そして、制御手段２８は、図示しない位置センサからの出力に基づき、射出プランジャ１５の前進位置を検出して、低速射出工程に設定された所定距離だけ射出プランジャ１５を前進させたタイミングで、低速射出工程を高速射出工程に切り替える（図３の（イ）の位置）。
【００１８】
次に、高速射出工程の開始タイミングになると、制御手段２８は、低速射出工程では、電動サーボモータ９を回転駆動しつつ、制御弁２０を開いて、それによりＡＣＣ１４に貯えられた圧油を、圧縮・昇圧されていたガス圧によって、制御弁２０を通じて油圧シリンダ１６の第１油室（前進用油室）１６ａに急速に送り込み、移動体７に対して射出プランジャ１５を高速（０．５ｍ／ｓｅｃ以上の速度であり、本実施形態では、２．５ｍ／ｓｅｃに設定。）で前進駆動する。そのとき、油圧シリンダ１６の第２油室１６ｂの油は、第２の逆止弁２７、油路を通じて、油圧シリンダ１６の第１油室１６ａに送り込まれる。なお、高速射出工程では、図３（ｂ）で示されているように、電動サーボモータ９が、低速射出工程のときよりも低速で回転され、移動体７を０．２ｍ／ｓｅｃで前進駆動するものの、ＡＣＣ１４からの圧油により射出プランジャ１５は、２．５ｍ／ｓｅｃという高速度で前進駆動され、それにより、金属溶湯は金型のキャビティ内に急速に射出充填される。そして、制御手段２８は、図示しない位置センサからの出力により、射出プランジャ１５の前進位置を検出して、高速射出工程に設定された所定距離だけ射出プランジャ１５を前進したタイミングで、制御弁２０を閉じて油圧シリンダ１６の第１油室１６ａへの油圧供給を遮断し高速射出工程を完了させる（図３（ａ）の（ロ）の位置）。
【００１９】
そして、高速射出工程が完了すると、続いて増圧工程が実行される。増圧工程に入ると制御手段２８は、電動サーボモータ９を射出工程（低速射出工程及び高速射出工程）での位置軸に沿った速度フィードバック制御から、時間軸に沿った圧力フィードバック制御に切り替えて、電動サーボモータ９に増圧工程で設定されている増圧圧力に一致する圧力を出力させる。当該増圧工程により、射出プランジャ１５からビスケット２９を介して金型内の固化し始めた金属に対して大きな圧力（例えば最大５０ｔｏｎ程度）を付与し、金属の固化・収縮に伴って、射出プランジャ１５は微量だけ微速前進される。そして、制御手段２８は、時間監視に基づいて、増圧工程の完了タイミングを検出すると、増圧工程を冷却工程に切り替える。
【００２０】
次に、冷却工程では、制御手段２８は、電動サーボモータ９を位置軸に沿った速度フィードバック制御によって前進方向に駆動制御し、移動体７を前進させる。この移動体７の前進によって射出プランジャ１５は前進方向の力を受けるが、射出プランジャ１５の射出プランジャチップ１５ａの先端にはビスケット２９が当接するため射出プランジャ１５は前進することができず、反対に油圧に抗して後退する。それにより、油圧シリンダ１６の第１油室１６ａ内の圧油が制御弁２０を通じて、ＡＣＣ１４の油室内へと戻され、それに伴いＡＣＣ１４のガス室内のガスが圧縮・昇圧される。そして、ＡＣＣ１４の油室内に所定量・所定圧の圧油が貯えられた（高速射出工程に必要な圧油が貯えられた）タイミングで、制御手段２８により制御弁２０が切り替えられると、該制御手段２８は、油圧ポンプ２３を駆動制御して、高速射出工程で油圧シリンダ１６の第２油室１６ｂから流出した油に相当する量の油を、油圧ポンプ２３から油圧シリンダ１６の第２油室１６ｂへと送り込む。すると、高速射出工程で油圧シリンダ１６の第２油室１６ｂから流出した油に相当する量の油が、油圧シリンダ１６の第２油室１６ｂに送り込まれる。そして、油圧シリンダ１６内で射出プランジャ１５が最後退位置に至ったタイミングで、制御手段２８は、油圧ポンプ２３を停止させると共に制御弁２０を中立位置に切り替え、さらに、電動サーボモータ９を停止させて、冷却工程の終了タイミングを待つ。なお、このとき、射出プランジャチップ１５ａの先端は、ビスケット２９に当接した状態となる。
【００２１】
そして、冷却工程が終了すると、制御手段２８は、型開き工程を実行させ、この型開き動作と同期して、電動サーボモータ９を位置軸に沿った速度フィードバック制御によって前進方向に駆動制御して、移動体７を前進させる。そして、それに伴い、射出プランジャ１５によりビスケット２９を押し出すビスケット押出工程を、型開きと同期させて実行させる。
【００２２】
次に、ビスケット押出工程が完了した後、制御手段２８は適宜のタイミングで、射出プランジャ１５を後退させる後退工程を実行し、電動サーボモータ９は、位置軸に沿った速度フィードバック制御によって後退方向に駆動制御して、移動体７を後退させる。そして、移動体７が最後退位置まで後退したタイミングで、制御手段２８は電動サーボモータ９を停止させる。そして、そのような成形サイクルが繰り返されることで製品が多数製造されることになる。
【００２３】
なお、ここで射出スリーブ１８の内壁面や該射出スリーブ１８の内壁面に摺動自在に配設された射出プランジャチップ１５ａの外周面に金属溶湯の残存体（Ａｌ等の溶けたカス）が付着したり、あるいは、射出スリーブ１８に対する射出プランジャチップ１５ａの所謂齧り、焼付き、バリ、異物噛み込み、熱変形等が発生し、射出プランジャチップ１５ａの移動中の摺動抵抗に異常が発生した場合の異常検出方法について図３を用いて説明する。本実施形態のダイカストマシンの全体の動作工程は上述した通りであるが、本実施形態のダイカストマシンにおいては、射出スリーブ１８に対する射出プランジャチップ１５ａの摺動抵抗の異常の検出を、低速射出工程を実行しているときに行う。
【００２４】
そして、図３（ａ）〜（ｃ）のグラフに示すように、射出プランジャチップ１５ａの摺動抵抗に異常が発生していない状態では、電動サーボモータ９のトルクは乱れることなく安定しているが（図３（ｃ）参照）、上述した摺動抵抗の異常が発生すると、図３（ｄ）の右側に示すように、高速射出工程では電動サーボモータ９のトルク、及び射出圧力のグラフに乱れが発生しないものの、高速射出工程より低速且つ低圧で実行される電動サーボモータ９のみを駆動源とする低速射出工程では、図３（ｄ）の左側に示すように、摺動抵抗の異常がグラフに乱れ（山折り谷折りの連続）として顕著に現れる。そして、（ホ）、（ヘ）として、低速射出工程における測定区間を示したように、予め設定した測定区間に対応する正常なときの電動サーボモータ９のトルク値Ｘ，Ｙに基づき、そのトルク値よりも１０％増の値Ｘ’，Ｙ’を算出させておき、その値を閾値記憶部３４に予め閾値として記憶させておくことで、ダイカストマシンの稼動中において、トルク検出手段３２で検出された電動サーボモータ９のトルクの実測値が前記閾値を超えた値であるときには、異常検出手段３３は、射出プランジャ１５の前進動作に異常があるとして判別し、その判別に基づき制御手段２８はダイカストマシンの稼動を停止し、且つ表示手段３０に警告メッセージを表示する。
【００２５】
以上のように本実施形態のダイカストマシンによれば、金属溶湯が供給される筒状の射出スリーブ１８と、射出スリーブ１８内で進退される射出プランジャ１５の先端に装着された射出プランジャチップ１５ａとを備え、射出プランジャ１５の前進により、金属溶湯を型閉された金型のキャビティ内に射出充填するときに、低速射出工程ではその駆動源に電動サーボモータ９のみを用い、低速射出工程の次工程で行われる高速射出工程ではその駆動源に油圧駆動源ＡＣＣ１４と電動サーボモータ９とを用いるダイカストマシンであって、高速射出工程よりも低速で行われる低速射出工程で射出プランジャ１５を前進させる電動サーボモータ９のトルクを検出するトルク検出手段３２と、トルク検出手段３２で検出された実測値が予め設定された閾値を超えた値であるときに、射出プランジャ１５の前進動作に異常があるとして判別する異常検出手段３３を備えたものであり、これにより、ダイカストマシンを稼動させているときに、射出スリーブ１８の内壁面やこの射出スリーブ１８の内壁面に摺動自在に配設された射出プランジャチップ１５ａの外周面に金属溶湯の残存体（Ａｌ等の溶けたカス）が付着したり、あるいは、射出スリーブに対する射出プランジャチップ１５ａの所謂齧り、焼付き、バリ、異物噛み込み、熱変形等が発生し、射出プランジャチップ１５ａの前進移動中の摺動抵抗に異常が発生すると、トルク検出手段３２で検出された電動サーボモータ９のトルクの実測値が、予め閾値記憶部３４に記憶されている閾値を超えることから、それに基づき、異常検出手段３３がダイカストマシンの射出プランジャチップ１５ａの摺動抵抗に異常が発生したことを判別する。よって、この判別に基づき、ユーザは異常を解消するための対策（メインテナンス等）を講じたり、或いは、異常があるとして判別されたときに、制御手段２８がダイカストマシンを停止したり、表示手段３０に警告メッセージを表示することで、ユーザに対し注意喚起をすることができる。さらに、異常検出手段３３が射出プランジャチップ１５ａの摺動抵抗に異常が発生したことを判別するときは、電動サーボモータ９のトルク変化が顕著に現れる低速射出工程中に実行されることから、異常を高精度で正確に検出することが可能となり、摺動抵抗の変化が大きくなる前に、早期に異常を発見して品質の良い鋳造品を製造することが可能となる。
【００２６】
以上、本実施形態の一例を詳述したが、本発明は、前記実施形態に限定されるものではなく、本発明の要旨の範囲内で種々の変形実施が可能である。上記一例では、摺動抵抗に異常のない正常なときの電動サーボモータ９のトルク値に対し、閾値を１０％増としているが、それに限定するものではなく、１％〜４０％の範囲で適宜選定することも可能である。また、異常検出手段３３が摺動抵抗の異常を判別したときには、ダイカストマシンの稼動を停止、或いは表示手段３０に警告メッセージを表示するだけであっても良い。また、閾値に対して電動サーボモータ９の実測値がどれくらい増加したかを異常検出手段３３で判別させ、その増加値に対応して、「少」、「中」、「大」で警告レベルの重要度を可変して、表示手段３０に表示するようにしてもよい。また、異常検出手段３３は、電動サーボモータ９の実測値が閾値を超えたときに摺動抵抗に異常があるとして判別するとして説明したが、測定区間における実測値の平均値やピークが閾値を超えた場合の値に基づき、射出プランジャチップ１５ａの摺動抵抗に異常があるとして判別するようにしてもよい。また、射出プランジャ１５が前進移動されるときのみに限らず、後退移動しているときにも摺動抵抗の異常を検出してもよい。
【符号の説明】
【００２７】
１  射出系ユニット
２  機台
３  ベース部材
４  固定ダイプレート
５  保持ブロック
６  支持部材
７  移動体
８  ガイドバー
９  電動サーボモータ
１０  プーリ
１１  ベルト
１２  ボールネジ
１３  ナット体
１４  ＡＣＣ（油圧駆動源）
１５  射出プランジャ
１５ａ  射出プランジャチップ
１６  油圧シリンダ
１６ａ  第１油室
１６ｂ  第２油室
１８  射出スリーブ
１８ａ  注入口
２０  制御弁
２１  タンク
２２  クーラー
２３  油圧ポンプ
２５  第１の逆止弁
２６  圧力センサ
２７  第２の逆止弁
２８  制御手段
２９  ビスケット
３０  表示手段
３１  キー入力手段
３２  トルク検出手段
３３  異常検出手段
３４  記憶部（閾値記憶部）
【図１】
0005657355.tif 000002
【図２】
0005657355.tif 000003
【図３】
0005657355.tif 000004